(57)【特許請求の範囲】
【請求項１】
複数のカム溝を有する第１の筒部材と、
直進溝を有する第２の筒部材と、
前記複数のカム溝のうち所定のカム溝及び前記直進溝に嵌合する第１のカムフォロアを有し、第１のレンズユニットを保持する第１のレンズ保持枠と、
前記複数のカム溝のうち所定のカム溝及び前記直進溝に嵌合する第２のカムフォロアを有し、第２のレンズユニットを保持する第２のレンズ保持枠と、
前記複数のカム溝のうち所定のカム溝及び前記直進溝に嵌合する第３のカムフォロアと開口部を有し、第３のレンズユニットを保持する第３のレンズ保持枠と、を備え、前記第１のレンズ保持枠と、前記第２のレンズ保持枠と、前記第３のレンズ保持枠とが、この順に配置されるレンズ装置であって、
一方の端が前記第１のレンズ保持枠に接続され、他方の端が前記第３のレンズ保持枠に接続され、前記第１のレンズ保持枠と前記第３のレンズ保持枠を前記レンズ装置の光軸方向と光軸に直交する方向に力を加えるように付勢する第１の付勢手段と、
一方の端が前記第２のレンズ保持枠に接続され、他方の端が前記第３のレンズ保持枠に接続され、前記第２のレンズ保持枠と前記第３のレンズ保持枠を前記レンズ装置の光軸方向と光軸に直交する方向に力を加えるように付勢する第２の付勢手段と、を備え、
前記開口部は、第３のレンズ保持枠を前記レンズ装置の光軸方向から見た際に、前記第３のカムフォロアと前記第１の付勢手段と前記第２の付勢手段が配置された位置とは異なる位置に形成されている
ことを特徴とするレンズ装置。
【請求項２】
前記開口部は、前記第１のレンズ保持枠と前記第２のレンズ保持枠と前記第３のレンズ保持枠とを前記第１の筒部材あるいは前記第２の筒部材に挿入した状態において、前記第２のカムフォロアが装着される位置を調整可能な調整手段によって前記第１の筒部材あるいは前記第２の筒部材の端側から前記第２のレンズ保持枠の位置を前記光軸方向の位置及び前記光軸の回転方向の位置を調整可能に複数設けられている、
ことを特徴とする請求項１に記載のレンズ装置。
【請求項３】
前記複数の開口部は、光軸を中心として周方向に１２０度毎に設けられた切り欠き部である、
ことを特徴とする請求項２に記載のレンズ装置。
【請求項４】
前記複数のカム溝のうち所定のカム溝及び前記直進溝に嵌合する第４のカムフォロアを有し、第４のレンズユニットを保持する第４のレンズ保持枠を前記第１の筒部材あるいは前記第２の筒部材の端と前記第１のレンズ保持枠との間に設けられている、
ことを特徴とする請求項１乃至３のいずれか１項に記載のレンズ装置。
【請求項５】
前記第１のレンズ保持枠と前記第２のレンズ保持枠と前記第３のレンズ保持枠とは、ズーミングに際して隣接する保持枠との間隔が変化するように移動する、
ことを特徴とする請求項１乃至４のいずれか一項に記載のレンズ装置。
【請求項６】
前記第１の付勢手段及び前記第２の付勢手段は弾性部材である、
ことを特徴とする請求項１乃至５のいずれか一項に記載のレンズ装置。
【請求項７】
前記第１の付勢手段及び前記第２の付勢手段は、連結された２つのレンズ保持枠を互いに近づける方向の弾性力を発生させる、
ことを特徴とする請求項６に記載のレンズ装置。
【請求項８】
光変調素子と、
請求項１乃至７のいずれか一項に記載のレンズ装置と、を備える、
ことを特徴とする光学装置。
【請求項９】
複数のカム溝を有する第１の筒部材と、
直進溝を有する第２の筒部材と、
前記複数のカム溝のうち所定のカム溝及び前記直進溝に嵌合する第１のカムフォロアを装着可能で、第１のレンズユニットを保持可能な第１のレンズ保持枠と、
前記複数のカム溝のうち所定のカム溝及び前記直進溝に嵌合する第２のカムフォロアを装着可能で、第２のレンズユニットを保持可能な第２のレンズ保持枠と、
前記複数のカム溝のうち所定のカム溝及び前記直進溝に嵌合する第３のカムフォロアを装着可能で、第３のレンズユニットを保持可能な第３のレンズ保持枠であって、複数の開口部を有する当該第３のレンズ保持枠と、を備え、前記第１のレンズ保持枠と、前記第２のレンズ保持枠と、前記第３のレンズ保持枠とが、この順に配置されるレンズ装置の製造方法であって、
前記第１のレンズ保持枠と前記第３のレンズ保持枠との間に、前記第１のレンズ保持枠と前記第３のレンズ保持枠を前記レンズ装置の光軸方向と光軸に直交する方向に力を加えるように付勢する第１の付勢手段を取り付けるステップと、
前記第２のレンズ保持枠と前記第３のレンズ保持枠との間に、前記第２のレンズ保持枠と前記第３のレンズ保持枠を前記レンズ装置の光軸方向と光軸に直交する方向に力を加えるように付勢する第２の付勢手段を取り付けるステップと、
前記第１のレンズ保持枠と前記第２のレンズ保持枠と前記第３のレンズ保持枠とを前記第１の筒部材はあるいは前記第２の筒部材に挿入するステップと、
前記第１のカムフォロアが前記複数のカム溝のうち所定のカム溝及び前記直進溝に嵌合するように前記第１のレンズ保持枠の位置及び角度のうち少なくとも一方を調整し、前記第１のカムフォロアを前記第１のレンズ保持枠に装着する第１の装着ステップと、
前記複数の開口部を介して、前記第２のレンズ保持枠の位置を調整可能な調整手段によって前記第２のカムフォロアが前記複数のカム溝のうち所定のカム溝及び前記直進溝に嵌合するように前記第２のレンズ保持枠の位置及び角度のうち少なくとも一方を調整し、前記第２のカムフォロアを前記第２のレンズ保持枠に装着する第２の装着ステップと、
前記第３のカムフォロアが前記複数のカム溝のうち所定のカム溝及び前記直進溝に嵌合するように前記第３のレンズ保持枠の前記光軸方向の位置及び角度のうち少なくとも一方を調整し、前記第３のカムフォロアを前記第３のレンズ保持枠に装着する第３の装着ステップと、
を備え、
前記開口は、第３のレンズ保持枠を前記レンズ装置の光軸方向から見た際に、前記第３のカムフォロアと前記第１の付勢手段と前記第２の付勢手段が配置された位置とは異なる位置に形成されている
ことを特徴とするレンズ装置の製造方法。
【請求項１０】
前記第１の装着ステップ、前記第２の装着ステップ、前記第３の装着ステップのうち前記第２の装着ステップは最後に行われる、
ことを特徴とする請求項９に記載のレンズ装置の製造方法。
【請求項１１】
複数のカム溝を有する第１の筒部材と、
直進溝を有する第２の筒部材と、
前記複数のカム溝のうち所定のカム溝及び前記直進溝に嵌合する第１のカムフォロアを装着可能で、第１のレンズユニットを保持可能な第１のレンズ保持枠と、
前記複数のカム溝のうち所定のカム溝及び前記直進溝に嵌合する第２のカムフォロアを装着可能で、第２のレンズユニットを保持可能な第２のレンズ保持枠と、
前記複数のカム溝のうち所定のカム溝及び前記直進溝に嵌合する第３のカムフォロアを装着可能で、第３のレンズユニットを保持可能な第３のレンズ保持枠であって、複数の開口部を有する当該第３のレンズ保持枠と、を備え、前記第１のレンズ保持枠と、前記第２のレンズ保持枠と、前記第３のレンズ保持枠とが、この順に配置されるレンズ装置と、光変調素子と、を備える光学装置の製造方法であって、
前記第１のレンズ保持枠と前記第３のレンズ保持枠との間に、前記第１のレンズ保持枠と前記第３のレンズ保持枠を前記レンズ装置の光軸方向と光軸に直交する方向に力を加えるように付勢する第１の付勢手段を取り付けるステップと、
前記第２のレンズ保持枠と前記第３のレンズ保持枠との間に、前記第２のレンズ保持枠と前記第３のレンズ保持枠を前記レンズ装置の光軸方向と光軸に直交する方向に力を加えるように付勢する第２の付勢手段を取り付けるステップと、
前記第１のレンズ保持枠と前記第２のレンズ保持枠と前記第３のレンズ保持枠とを前記第１の筒部材はあるいは前記第２の筒部材に挿入するステップと、
前記第１のカムフォロアが前記複数のカム溝のうち所定のカム溝及び前記直進溝に嵌合するように前記第１のレンズ保持枠の位置及び角度のうち少なくとも一方を調整し、前記第１のカムフォロアを前記第１のレンズ保持枠に装着する第１の装着ステップと、
前記複数の開口部を介して、前記第２のレンズ保持枠の位置を調整可能な調整手段によって前記第２のカムフォロアが前記複数のカム溝のうち所定のカム溝及び前記直進溝に嵌合するように前記第２のレンズ保持枠の位置及び角度のうち少なくとも一方を調整し、前記第２のカムフォロアを前記第２のレンズ保持枠に装着する第２の装着ステップと、
前記第３のカムフォロアが前記複数のカム溝のうち所定のカム溝及び前記直進溝に嵌合するように前記第３のレンズ保持枠の前記光軸方向の位置及び角度のうち少なくとも一方を調整し、前記第３のカムフォロアを前記第３のレンズ保持枠に装着する第３の装着ステップと、
前記光変調素子を保持する保持部材に対して前記レンズ装置を取り付けるステップと、を備え、
前記開口は、第３のレンズ保持枠を前記レンズ装置の光軸方向から見た際に、前記第３のカムフォロアと前記第１の付勢手段と前記第２の付勢手段が配置された位置とは異なる位置に形成されている
ことを特徴とする光学装置の製造方法。
【発明の詳細な説明】
【技術分野】
【０００１】
本発明はレンズ装置及びこれを用いた光学装置及びそれらの製造方法に関する。
【背景技術】
【０００２】
プロジェクターなどの光学装置は、机などに置いて使う据え置き以外にも、天井から吊るす天吊りや、投射レンズ（レンズ装置）を下あるいは上方向に向けたあおり投射など様々な姿勢で使用される。
【０００３】
また、プロジェクターなどに搭載されているレンズ装置では、レンズユニットをフォーカシングあるいはズーミングに際してスムーズに移動させるためにカムフォロアと直進溝及びカム溝との間に隙間いわゆるガタ（クリアランス）が設けられている。このため、前述したような様々な姿勢でプロジェクターを使用すると、装置内部の複数のレンズユニットの姿勢や位置がガタによってプロジェクターの姿勢毎に変化し、安定した光学性能が得られないという問題があった。
【０００４】
このような問題を解決するための技術として、特許文献１に記載の技術が知られている。特許文献１は、レンズユニットの隣に設けられ、レンズユニットと同じ軌跡で移動する移動環とレンズユニットとの間にコイルバネを設けることで、プロジェクターの姿勢によらずにレンズユニットを所定の方向に付勢する構成を開示している。このような構成によって、前述の姿勢の変化による影響を抑制することが可能となる。
【先行技術文献】
【特許文献】
【０００５】
【特許文献１】特開２０１３−２５７３６９号公報
【発明の概要】
【発明が解決しようとする課題】
【０００６】
しかしながら、前述の特許文献１の技術を用いて例えば３つのレンズユニットを所定の方向に付勢しようとすると移動環も３つ必要となり、レンズ装置が光軸方向に大型化してしまうおそれがある。あるいは、３つのレンズユニット間の間隔が狭い場合には特許文献１に記載の移動環をレンズユニット間に設けることができないおそれがある。
【０００７】
そこで、本発明の目的は、より小型で姿勢の変化による影響を抑制することが可能なレンズ装置およびこれを用いた光学装置及びそれらの製造方法を提供することである。
【課題を解決するための手段】
【０００８】
上記課題を解決するために、本発明のレンズ装置は、
複数のカム溝を有する第１の筒部材と、
直進溝を有する第２の筒部材と、
前記複数のカム溝のうち所定のカム溝及び前記直進溝に嵌合する第１のカムフォロアを有し、第１のレンズユニットを保持する第１のレンズ保持枠と、
前記複数のカム溝のうち所定のカム溝及び前記直進溝に嵌合する第２のカムフォロアを有し、第２のレンズユニットを保持する第２のレンズ保持枠と、
前記複数のカム溝のうち所定のカム溝及び前記直進溝に嵌合する第３のカムフォロアと開口部を有し、第３のレンズユニットを保持する第３のレンズ保持枠と、を備え、前記第１のレンズ保持枠と、前記第２のレンズ保持枠と、前記第３のレンズ保持枠とが、この順に配置されるレンズ装置であって、
一方の端が前記第１のレンズ保持枠に接続され、他方の端が前記第３のレンズ保持枠に接続され、前記第１のレンズ保持枠と前記第３のレンズ保持枠を前記レンズ装置の光軸方向と光軸に直交する方向に力を加えるように付勢する第１の付勢手段と、
一方の端が前記第２のレンズ保持枠に接続され、他方の端が前記第３のレンズ保持枠に接続され、前記第２のレンズ保持枠と前記第３のレンズ保持枠を前記レンズ装置の光軸方向と光軸に直交する方向に力を加えるように付勢する第２の付勢手段と、を備え、
前記開口部は、第３のレンズ保持枠を前記レンズ装置の光軸方向から見た際に、前記第３のカムフォロアと前記第１の付勢手段と前記第２の付勢手段が配置された位置とは異なる位置に形成されている
ことを特徴とする。
【発明の効果】
【０００９】
本発明によれば、より小型で姿勢の変化による影響を抑制することが可能なレンズ装置およびこれを用いた光学装置及びそれらの製造方法を提供することができる。
【図面の簡単な説明】
【００１０】
【図１】レンズユニットの分解斜視図。
【図２】３つの鏡筒とコイルバネの分解斜視図。
【図３】コイルバネを取り付けて一体となった３つの鏡筒の斜視図。
【図４】レンズ装置の製造方法を説明するための図。
【図５】レンズ装置を搭載可能な光学装置の構成を説明するための図。
【発明を実施するための形態】
【００１１】
以下に図面を参照して、この発明の好適な実施の形態を例示的に説明する。ただし、この実施の形態に記載されている構成部品の相対配置などは、この発明が適用される装置の構成や各種条件により適宜変更されるべきものである。すなわち、本発明は後述の実施の形態に限定されず、その要旨の範囲内で様々な変形及び変更が可能である。
【００１２】
以下に、本発明の実施の形態を添付の図面に基づいて詳細に説明する。
【００１３】
（レンズ装置の構成）
図１には、本実施例のレンズ装置１００の分解斜視図を示す。
【００１４】
１０１は第１レンズ群を保持可能な第１鏡筒である。１０２は第２レンズ群（第４のレンズユニット）を保持可能な２群鏡筒（第４のレンズ保持枠）である。１０３は第３レンズ群（第１のレンズユニット）を保持可能な第３鏡筒（第１のレンズ保持枠）である。１０４は第４レンズ群（第２のレンズユニット）を保持可能な第４鏡筒（第２のレンズ保持枠）、１０５は第５レンズ群（第３のレンズユニット）を保持可能な第５鏡筒（第３のレンズ保持枠）である。１０６は第６レンズ群を保持可能な第６鏡筒である。各鏡筒の表面には後述のカムフォロア１０８１〜１０８６を装着可能とするためのネジ穴が設けられており、ビスによってカムフォロアが各鏡筒に装着される。
【００１５】
レンズ装置１００は、上記の第１鏡筒から第６鏡筒を拡大側から順に備えている。そして、第１レンズ群及び第６のレンズ群はズーミングに際しては不動であって、第２鏡筒、第３鏡筒、第４鏡筒、第５鏡筒はズーミングに際して隣接する鏡筒との間隔が変化するように移動する。
【００１６】
１１１は固定筒（第２の筒部材）であり、１１２はマウントである。固定筒１１１の光軸方向後端部（第６鏡筒側の端部）には、マウント１１２がビス止めされる。マウント１１２には光学装置本体に取り付けられるフランジ部が形成されている。
【００１７】
１１３は固定筒１１１の外周のうち前側（第１鏡筒側）の領域に配置され、不図示のギア部を有し、光軸を中心に回転する第１の回転環としてのフォーカスカム環である。１１４は固定筒１１１の内周のうち後ろ側（第６鏡筒側）の領域に配置され、光軸を中心に回転する第２の回転環としてのズームカム環（第１の筒部材、カム筒）である。
【００１８】
１０８１は第１鏡筒１０１にビスで取り付けられる第１カムフォロアであり、１０８２は第２鏡筒１０２にビスで取り付けられる第２カムフォロア（第４のカムフォロア）である。１０８３は第３鏡筒１０３にビスで取り付けられる第３カムフォロア（第１のカムフォロア）であり、１０８４は第４鏡筒１０４にビスで取り付けられる第４カムフォロア（第２のカムフォロア）である。１０８５は第５鏡筒１０５にビスで取り付けられる第５カムフォロア（第３のカムフォロア）であり、１０８６は第６鏡筒１０６にビスで取り付けられる第６カムフォロアである。各カムフォロアは互いに異なる位相に設けられており、具体的には１２０度間隔で計３つずつ各鏡筒に装着されている。
【００１９】
１１５は不図示のギア部を有し、固定筒１１１の外周に配置され、不図示の連結部材を介してズームカム環１１４と一体に回転する様に取り付けられたズーム環である。１１６はレンズユニット１００の光軸である。
【００２０】
１２１はアクチュエータとしてのモーターユニットである。モーターユニット１２１は、ステッピングモータ、ＤＣモータ、振動型モータ等のモータ本体と、モータ本体の回転を減速して出力する減速ギヤボックスを含む。モーターユニット１２１はビスにより保持部材１２２に固定される。保持部材１２２を固定筒１１１にビスで固定することによって、フォーカスカム環１１３のギア部およびズーム環１１５のギア部と噛み合った状態となる。
【００２１】
（フォーカス機構の構成）
次にフォーカス機構について説明する。第１鏡筒１０１は焦点位置調整レンズユニットである第１レンズ群を保持しており、第１鏡筒１０１が光軸１１６の方向に所定量移動することでフォーカシングが行われる。第１鏡筒１０１を光軸１１６の方向に移動させるための構成は以下のとおりである。
【００２２】
第１鏡筒１０１の外周における周方向１２０°毎の３箇所には、カムフォロア１０８１が取り付けられている。第１鏡筒１０１に設けられたカムフォロア１０８１は、固定筒１１１に光軸１１６の方向に１２０°毎の３箇所に配置した直進溝１１１Ａに勘合する。さらに、カムフォロア１０８１はフォーカスカム環１１３にフォーカスカム環１１３の外周方向に対して角度を持たせて１２０°毎の３箇所に配置したカム溝１１３Ａにも勘合する。フォーカスカム環１１３は、固定筒１１１に対してバヨネット結合構造等によって光軸１１６の方向への移動が阻止された状態で配置されており、光軸１１６回りの回転のみ可能となっている。
【００２３】
フォーカスカム環１１３のギア部と噛み合ったモーターユニット１２１を駆動すると、フォーカスカム環１１３のギア部に駆動が伝達しフォーカスカム環１１３が回転駆動される。フォーカスカム環１１３が回転すると、カム溝１１３Ａと直進溝１１１Ａの交点が光軸１１６の方向に移動する。この移動によってカムフォロア１０８１が取り付けられた第１鏡筒１０１が光軸１１６の方向に移動し、フォーカシングが行われる。
【００２４】
（ズーム機構の構成）
次にズーム機構について説明する。第２鏡筒１０２，第３鏡筒１０３，第４鏡筒１０４および第５鏡筒１０５はそれぞれ、第２〜第５レンズ群としての変倍系レンズを保持する。第２鏡筒１０２，第３鏡筒１０３，第４鏡筒１０４および第５鏡筒１０５が光軸１１６の方向に所定量移動することでズーミングが行われる。第２〜第５鏡筒を光軸１１６の方向に移動させるための構成は以下のとおりである。
【００２５】
第２鏡筒１０２、第３鏡筒１０３、第４鏡筒１０４および第５鏡筒１０５の外周における周方向１２０°毎の３箇所には、カムフォロア１０８２〜１０８５が取り付けられている。これら鏡筒１０２〜１０５に設けられたカムフォロア１０８２〜１０８５は、固定筒１１１に光軸１１６の方向に１２０°毎の３箇所に配置した直進溝１１１Ｂに嵌合する。さらに、ズームカム環１１４にズームカム環１１４の外周方向に対して角度を持たせて１２０°毎の３箇所に配置した形成された第１，第２，第３および第４カム溝１１４Ａ，１１４Ｂ，１１４Ｃ，１１４Ｄにもそれぞれ嵌合する。
【００２６】
ズームカム環１１４は、固定筒１１１に対してバヨネット結合構造等によって光軸１１６の方向への移動が阻止された状態で配置され光軸回りの回転の可能となっている。また、ズームカム環１１４およびズーム環１１５は、不図指の連結部材を介して一体で動く。ズーム環１１５のギア部と噛み合ったモーターユニット１２１を駆動すると、ズーム環１１５のギア部に駆動が伝達しズーム環１１５が回転駆動される。
【００２７】
さらに連結部材を介してズームカム環１１４が回転駆動される。ズーム環１１５及びズームカム環１１４が回転すると、カム溝１１４Ａ，１１４Ｂ，１１４Ｃ，１１４Ｄと直進溝１１１Ｂとの交点が光軸方向に移動する。この移動によってカムフォロア１０８２〜１０８５が取り付けられた第２，第３，第４および第５鏡筒１０２〜１０５が光軸１１６の方向に移動し、ズーミングが行われる。
【００２８】
なお、第６鏡筒１０６は、第６レンズ群としてのリレー系レンズを保持しており、マウント１１２の後端部にカムフォロア１０８を介して固定されており、ズーミングのためには移動しない。
【００２９】
また、前述のようにカムフォロア１０８３、１０８４、１０８５は複数のカム溝のうち所定のカム溝（カム溝１１４Ｂ，１１４Ｃ，１１４Ｄ）及び直進溝１１１Ｂに嵌合する。言い換えればカムフォロア１０８３，１０８４，１０８５は互いに異なるカム溝に嵌合する。なお、例えば図１において各カムフォロアは１つずつしか図示されていないが、実際には各カムフォロアは１２０度間隔で計３つずつ設けられている。
【００３０】
（付勢手段の構成）
次に図２及び図３を用いて本実施例における付勢手段の構成と、姿勢の変化による影響及び大型化を抑制することを可能にする原理について説明する。
【００３１】
図２及び図３において１０７及び１０９はコイルバネである。コイルバネ１０７及び１０９は、カムフォロア１０８３〜１０８５とカム溝１１４Ａ，１１４Ｂ，１１４Ｃ，１１４Ｄおよびカムフォロア１０８３〜１０８５と直進溝１１１Ｂの両方のガタを除去するために設けられている。
【００３２】
図２及び図３に示すように、レンズ装置１００は付勢手段としてコイルバネ１０７とコイルバネ１０９を備えている。コイルバネ１０７は一方の端が第３鏡筒１０３に設けられ、他方の端が第５鏡筒１０５に設けられた第１の付勢手段であり、コイルバネ１０９は一方の端が第４鏡筒１０４に設けられ、他方の端が第５鏡筒１０５に設けられた第２の付勢手段である。なお、コイルバネ１０７及び１０９はともに弾性部材であり、各鏡筒間の間隔が広がって引っ張られることで弾性力を発揮する。
【００３３】
このような構成によって、第３鏡筒１０３と第５鏡筒１０５との間で弾性力が作用し、第４鏡筒１０４と第５鏡筒１０５との間で弾性力が作用する。その結果、各鏡筒をプロジェクターの姿勢によらずに所定の方向に付勢することが可能となる。つまり、前述の特許文献１に記載の移動環を鏡筒と同じ数だけ設けることなく、プロジェクターの姿勢の変化による影響を抑制することができる。
【００３４】
比較例として、コイルバネ１０７が第３鏡筒１０３と第４鏡筒１０４との間に設けられている構成を考える。この構成の場合、第４鏡筒１０４はコイルバネ１０７による弾性力とコイルバネ１０９による弾性力の双方の影響を受けることになる。このため、コイルバネ１０７とコイルバネ１０９の弾性力の強弱関係によっては、プロジェクターの姿勢によらずに第４鏡筒１０４を所定の方向に付勢することが困難になるおそれがある。
【００３５】
これに対して、前述の本実施例においては、コイルバネ１０７は第３鏡筒１０３と第５鏡筒１０５との間に設けられ、コイルバネ１０９は第４鏡筒１０４と第５鏡筒１０５との間に設けられている。このため、第４鏡筒１０４にはコイルバネ１０９の弾性力のみ作用する。より詳細には、コイルバネ１０７及びコイルバネ１０９は、連結された２つのレンズ保持枠を互いに近づける方向の弾性力を発生させる弾性部材である。
【００３６】
なお、各鏡筒は全て同じ方向に付勢されている必要はなく、プロジェクターの姿勢が変化しても各鏡筒が備えるカムフォロアが直進溝とカム溝に対して各鏡筒毎に一定の方向に付勢されればよい。
【００３７】
（レンズ装置の製造方法）
図２から図４を用いてレンズ装置１００の製造方法について説明する。特に第３鏡筒１０３、第４鏡筒１０４、第５鏡筒１０５について説明する。
【００３８】
１０３Ｂ、１０５Ｂは移動環回転規制軸である。１０４Ｂは第３鏡筒および第５鏡筒回転規制穴である。１１６はレンズユニット１００の光軸である。
【００３９】
移動環回転規制軸１０５Ｂを４群鏡筒および５群鏡筒回転規制穴１０４Ｂに挿入し、コイルバネ１０９がビスによって第４鏡筒および第５鏡筒に取り付けられる。さらに移動環回転規制軸１０３Ｂを４群鏡筒および５群鏡筒回転規制穴１０４Ｂに挿入し、コイルバネ１０７がビスによって第３鏡筒および第４鏡筒に取り付けられる。コイルバネ１０７およびコイルバネ１０９を取り付けて一体となった第３鏡筒１０３，第４鏡筒１０４および第５鏡筒１０５は図３に示すとおりである。
【００４０】
なお、移動環回転規制軸１０３Ｂ、１０５Ｂと第３鏡筒および第５鏡筒回転規制穴１０４Ｂのガタ量は、カムフォロア１０８と直進溝１１１Ｂのガタ量よりも大きくなるように設定している。仮に両ガタ量の大小関係が逆の場合、コイルバネ１０７及び１０９を用いてガタを埋めようとしても、移動環回転規制軸１０３Ｂ、１０５Ｂが第３鏡筒および第５鏡筒回転規制穴１０４Ｂに接触してしまうため、好ましくない。
【００４１】
一体となった第３鏡筒１０３，第４鏡筒１０４および第５鏡筒１０５を固定筒１１１の後ろ側（第６鏡筒側）から挿入する。まず、図４（ａ）に示すように直進溝１１１Ｂと第２カム溝１１４Ｂの交点に外周からカムフォロア１０８を第３鏡筒１０３に取り付ける（第１の装着ステップ）。
【００４２】
次に図４（ｂ）に示すように、第５鏡筒１０５の周方向１２０°毎の３箇所の切り欠き部（開口部）１０５Ｃと工具（調整手段）１３０を使って、第５鏡筒１０５を所望の位置に移動する。なお、切り欠き部１０５Ｃは光軸を中心とした互いに異なる位相に存在すればよい。
【００４３】
つまり、第５鏡筒１０５には、第４鏡筒１０４のカムフォロア１０８４が装着される位置を調整可能な工具１３０を固定筒１１１あるいはズームカム環１１４の端側から第４鏡筒１０４へ誘導可能な開口部が設けられている。
【００４４】
この状態で、直進溝１１１Ｂと第５カム溝１１４Ｄの交点に外周からカムフォロア１０８を第５鏡筒１０５に取り付ける（第３の装着ステップ）。
【００４５】
最後に図４（ｃ）に示すように、第５鏡筒１０５の周方向１２０°毎の３箇所の切り欠き部１０５Ｃを通り第４鏡筒１０４にアクセスすることで、第４鏡筒１０４を所望の位置に移動する。この状態で、直進溝１１１Ｂと第４カム溝１１４Ｃの交点に外周からカムフォロア１０８を第４鏡筒１０４に取り付ける（第２の装着ステップ）。
【００４６】
以上の組立手順によって、常に１つのレンズ鏡筒からしか付勢されていないレンズ鏡筒にカムフォロアを固定することが可能となる。この結果、一体となった第３鏡筒１０３，第４鏡筒１０４および第５鏡筒１０５それぞれにカムフォロア１０８を取り付けることが容易になる。つまり、第１の装着ステップと第２の装着ステップと第３の装着ステップのうち第２の装着ステップを最後に行うことが好ましい。
【００４７】
以上、本発明の好ましい実施例について説明したが、本発明は上記実施例に限定されず、請求項に記載の範囲内で種々の変形が可能である。例えば、上記実施例では、コイルバネ１０９を引っ張って用いることで付勢力を発生させてガタの除去を行ったが、圧縮で用いて付勢力を発生させてガタの除去を行うこともできる。
【００４８】
また、コイルバネ１０７は第３鏡筒１０３と第５鏡筒１０５との間に設けられ、コイルバネ１０９の代わりに第３鏡筒１０３と第４鏡筒１０４との間に新たなコイルバネを設けた構成などであってもよい。つまり、第１の付勢手段としてのコイルバネ１０７に加えて、第２の付勢手段として、一方の端が第４鏡筒１０４に設けられ、他方の端が第３鏡筒１０３あるいは第５鏡筒１０５に設けられたコイルバネなどの弾性部材を有していればよい。
【００４９】
なお、図４（ａ）〜（ｃ）に示す図はあくまでも簡略化した図であって、より詳細には図２及び図３に示すようにコイルバネ１０７及び１０９は光軸方向及び光軸と直交する方向の双方に弾性力を発揮するように斜めに設けられている。このため、例えば第３鏡筒１０３にカムフォロア１０８３を装着した際には、カムフォロア１０８３に対してカムフォロア１０８４及び１０８５を装着する位置が光軸と直交する方向にずれているおそれがある。つまり、第４鏡筒１０４及び第５鏡筒１０５が第３鏡筒１０３に対して回転しているおそれがある。このような場合には、前述の工具１３０を用いて両鏡筒の光軸方向の位置の調整だけではなく、両鏡筒を回転させる調整を行えばよい。
【００５０】
（プロジェクターの構成）
図５を用いて前述のレンズ装置１００を搭載可能なプロジェクター（光学装置、投射型表示装置）の構成を説明する。
【００５１】
１は光源装置（光源）であり、発光管３と発光管３からの光束を反射して平行光束にして照明光学系４に導く放物面リフレクター２とを備える。
【００５２】
４は照明光学系であり、光源装置１からの光束を複数の部分光束に分割する第１のフライアイレンズ５Ａと、第１のフライアイレンズ５Ａからの光束を受光する第２のフライアイレンズ５Ｂを備える。さらに、照明光学系４は第２のフライアイレンズ５Ｂからの光束を受光して所定の偏光方向に揃える偏光変換素子６と、偏光変換素子６からの光束を、ミラー８を介して色分離合成系９に導くコンデンサーレンズ７を備える。
【００５３】
９は色分離合成系であり、不図示のダイクロイックミラー、偏光ビームスプリッター、色合成プリズム等を備える。１０は反射型液晶パネル（光変調素子）であり、制御基盤１１からの信号に基づいて色分離合成系９からの光を変調して色分離合成系９に戻す。１２は液晶パネル１０をはじめとして前述の各部品を収納及び保持するための筐体（保持部材）である。
【００５４】
液晶パネル１０によって変調された光が色分離合成系９を介して投射レンズとしてのレンズ装置１００に導かれることで、スクリーンなどの被投射面に所定の画像が投射される。
【００５５】
このような構成のプロジェクター（光学装置）の製造方法を、前述のレンズ装置の製造方法に筺体１２へレンズ装置１００を取り付けるステップを加えて構成してもよい。
【００５６】
（他の実施形態）
前述の実施例においては、レンズユニットが６つある構成を開示したが本発明はこのような構成に限定されるものではなく、レンズユニットが７つある構成のレンズ装置にも本発明は適用可能である。例としてレンズユニットが７つあり、最も拡大側のレンズユニット及び最も縮小側のレンズユニットがズーミングのためには不動の構成のレンズ装置があったとする。このようなレンズ装置のうち拡大側から４つ目、５つ目、６つ目のレンズユニットを保持するレンズ保持枠に対して前述の実施例の構成を適用してもよい。
【００５７】
なお、ここでいうレンズユニットはズーミングに際して隣接するレンズユニットとの間隔が変化する複数のレンズの集まりあるいはレンズ単体のことをいい、これらレンズユニットを保持するのがレンズ保持枠である。つまり、各レンズ間の空間のうちズーミングに際して変化する箇所が各レンズユニットの区切りとなる。なお、例えばズーミングの際には不動のあるレンズユニットがフォーカシングの際に互いに異なる軌跡で移動する複数のレンズ保持枠を有している構成などであってもよい。
【００５８】
また、前述の実施例においては、レンズユニットが６つある構成を開示したが、レンズユニット以外にも絞りを有する構成であってもよい。この絞りはあるレンズユニットと一体に移動してもよく、あるいは全てのレンズユニットとは異なる軌跡で移動してもよい。
【００５９】
また、前述の実施例においては、直進溝を有する第１の筒部材がカム溝を有する第２の筒部材の外側に設けられた構成を開示したが、第２の筒部材の内側に第１の筒部材が設けられた構成などであってもよい。
【００６０】
また、前述の実施例においては、光源として高圧水銀ランプを有する構成を開示したが、例えば青色レーザーダイオードと蛍光体とを光源とする構成などであってもよい。
【００６１】
また、前述の実施例においては、レンズ装置としてプロジェクターに搭載する投射レンズを例示したが、本発明は投射レンズに限定されるものではなく、例えばカメラ用のレンズなどにも適用可能である。
【符号の説明】
【００６２】
１０３  第３鏡筒（第１のレンズ保持枠）
１０４  第４鏡筒（第２のレンズ保持枠）
１０５  第５鏡筒（第３のレンズ保持枠）
１０７  コイルバネ（第１の付勢手段）
１０９  コイルバネ（第２の付勢手段）
１１１  固定筒（第２の筒部材）
１１４  ズームカム環（第１の筒部材）
【図１】
0006746316.tif 000002
【図２】
0006746316.tif 000003
【図３】
0006746316.tif 000004
【図４】
0006746316.tif 000005
【図５】
0006746316.tif 000006